Podtech/llm-jp-corpus-v4-ja_patent huggingface dataset:
(57)【要約】【課題】  二個の回転ヘッドが正、逆方向に回転し、多角度から歯を磨く双回転ブラシ付電動歯ブラシ構造を提供する。【解決手段】  電動歯ブラシ１上方に二本の平行な回転ブラシ１１４を設置し、その回転ブラシ１１４を電動歯ブラシ１最上端のリング体１１３内に納置する。また電動歯ブラシ１内に電動モータ１２１、伝動ユニット１２２、及び二個の電池２を設置する。電動モータ１２１を回転させると、伝動ユニット１２２が連動し、回転桿１１２が回転し、二個の回転ブラシ１１４を正逆に回転させ、多角度から歯を磨く。【選択図】    図３
0003115441.tif 000002
【実用新案登録請求の範囲】
【請求項１】
細長形状の電動歯ブラシ上方に円錐形の上部ヘッドが設置された双回転ブラシ付電動歯ブラシ構造において、
上部ヘッド後方の適所に二個の桿体槽が成形され、桿体槽内に上部ヘッドと平行に回転桿が挿入され、
上部ヘッドの円弧形状の最上部にＣ字型のリング体が設置され、前記リング体内の回転桿上に二個の円柱状の回転ブラシが設置され、
上部ヘッド後方は半円柱状の上下筐体が設置され、
前記上下筐体後方には基台が設置され、
前記上下筐体の内部前方には電動モータ及び伝動ユニットが設置され、
上下筐体内部後方には電池納置槽が設置され、
別に上筐体上にはスイッチボタンが設置され、
基台内に導電リング体が設置され、
上下筐体内の電池によって回路が形成され、電動歯ブラシはスイッチボタンによって、電動モータが回転して伝動ユニットを連動し、回転桿が回転し、回転桿上部の回転ブラシが正逆方向に回転し、歯を多角度から磨くことを特徴とする双回転ブラシ付電動歯ブラシ構造。
【考案の詳細な説明】
【技術分野】
【０００１】
本考案は、双回転ブラシ付電動歯ブラシ構造に関するもので、二個のヘッドが正、逆方向に回転し、多角度から歯を磨くものである。
【背景技術】
【０００２】
歯ブラシは、人が毎日使用する日用品のひとつである。歯ブラシの種類や機能は日々多様化しているが、その中に電動で動く電動歯ブラシがある。歯ブラシヘッドを変えると、異なる機能を具える。公知の電動歯ブラシは、本体前端の回転歯ブラシヘッドで歯を磨くものである。
【考案の開示】
【考案が解決しようとする課題】
【０００３】
解決しようとする問題点は、公知の電動歯ブラシが歯と垂直に接触するだけで、多角度からの歯磨きができないため、歯磨き効果が十分でない点である。
【課題を解決するための手段】
【０００４】
本考案は、電動歯ブラシ上方に二本の平行な回転ブラシを設置し、その回転ブラシを電動歯ブラシ最上端のリング体内に納置する。また電動歯ブラシ内に電動モータ、伝動ユニット、及び二個の電池を設置する。電動モータを回転させると、伝動ユニットが連動し、回転桿が回転し、二個の回転ブラシを正逆に回転させ、多角度から歯を磨くことを最も主要な特徴とする。
（考案の効果）
本考案の双回転ブラシ付電動歯ブラシ構造は、二個の回転ヘッドが正、逆方向に回転し、多角度から歯を磨くという利点がある。
【考案を実施するための最良の形態】
【０００５】
図１から図６に示すとおり、本考案の一実施例による双回転ブラシ付電動歯ブラシ構造は、細長状の電動歯ブラシ１上方に、円錐形の上部ヘッド１１が設置され、その上部ヘッド１後方適所には二個の桿体槽１１１が成形され、その二個の桿体槽１１１内に、上部ヘッド１１と平行に二本の回転桿１１２を差し込む。別に上部ヘッド１１の円弧状の最上部にはＣ字型のリング体１１３が設置され、そのリング体１１３内の回転桿１１２上に、二個の円柱形の回転ブラシ１１４を設置する。また上部ヘッド１１の後方には半円柱状の上下筐体１２、１３を設置し、その上下筐体１２、１３後方には基台１４を設置する。上下筐体１２、１３の前方内には電動モータ１２１及び伝動ユニット１２２を設置し、上下筐体１２、１３後方には電池納置槽１２３、１３１を成形する。別に上筐体１２上にはスイッチボタン１２４を設置し、基台１４内に導電リング体１４１を設置する。上下筐体１２、１３内の電池２によって回路が形成される。電動歯ブラシ１は、スイッチボタン１２４によって、電動モータ１２１が回転し、伝動ユニット１２２が連動して、回転桿１１２を回転させ、回転桿１１２上の回転ブラシ１１４が正、逆方向に回転する。これによって、回転ブラシ１１４は多角度から歯を磨く。また別に基台１４下方に電源コンセント１４２を設置し、電動歯ブラシ１を制御ボックスに直接差し込んで使用する。
【図面の簡単な説明】
【０００６】
【図１】本考案の一実施例による電動歯ブラシの立体分解図である。
【図２】本考案の一実施例による電動歯ブラシの立体組立図である。
【図３】本考案の一実施例による電動歯ブラシの組立断面図である。
【図４】本考案の一実施例による電動歯ブラシの双回転ヘッドの回転指示図である。
【図５】本考案の一実施例による電動歯ブラシの歯磨き動作指示図である。
【図６】本考案の一実施例による電動歯ブラシの外付け電源指示図である。
【符号の説明】
【０００７】
１  電動歯ブラシ、１１  上部ヘッド、１１１  桿体槽、１１２  回転桿、１１３  リング体、１１４  回転ブラシ、１２  上筐体、１２１  電動モータ、１２２  伝動ユニット、１２３  電池納置槽、１２４  スイッチボタン、１３  下筐体、１３１  電池納置槽、１４  基台、１４１  導電リング体、１４２  電源コンセント、２  電池
【図１】
0003115441.tif 000003
【図２】
0003115441.tif 000004
【図３】
0003115441.tif 000005
【図４】
0003115441.tif 000006
【図５】
0003115441.tif 000007
【図６】
0003115441.tif 000008
(57)【要約】【課題】  自在に固定角度に回転し、回転が大きすぎても倒れない乗用玩具車の車輪回転構造を提供する。【解決手段】  ハンドル中空桿１と車輪軸管２を含み、ハンドル中空桿１は、下段に枢設筒１１を設置する。車輪軸管２は、接合台２１を設置し、枢設筒１１と対応させ、接合台２１両側に蓋筒２２を固定する。固定部品２３を設置し、蓋筒２２を接合台２１に固定する。ハンドル中空桿１の枢設筒１１を車輪軸管２の接合台２１内で回転するように枢設することによって、枢設筒１１の限定部品を蓋筒２２の限定部品に対応して回転し、回転角度を制限する。凸耳１１２が滑動槽２２１内で嵌合滑動し、滑動槽２２１の制限を受け、車輪軸管２に枢設した車輪ユニットをハンドル中空桿１の回転角度に対して制限を加える。同じく枢設筒１１の制限部品を滑動槽にして、車輪軸管２の制限部品を凸耳にすることも可能である。【選択図】    図１
0003115403.tif 000002
【実用新案登録請求の範囲】
【請求項１】
ハンドル中空桿と車輪軸管とを備える乗用玩具車の車輪回転構造であって、
下段に枢設筒が設置され、枢設筒両端に各々制限部品が設置されるハンドル中空桿と、
接合台が枢設筒に対応させて設置され、接合台両側に蓋筒が固定され、蓋筒を枢設筒の限定部品に対応させて固定部品が設置され、蓋筒と枢設筒との相対回転角度を制限し、蓋筒は接合台に固定される車輪軸管と、
を備えることを特徴とする乗用玩具車の車輪回転構造。
【請求項２】
前記枢設筒の制限部品は、凸耳であり、蓋筒の制限部品は滑動槽であることを特徴とする請求項１記載の乗用玩具車の車輪回転構造。
【請求項３】
前記枢設筒の制限部品は、滑動槽であり、蓋筒の制限部品は凸耳であることを特徴とする請求項１記載の乗用玩具車の車輪回転構造。
【請求項４】
前記枢設筒は、両端に各々回転筒が嵌合し、回転筒には凸耳が設置されていることを特徴とする請求項１記載の乗用玩具車の車輪回転構造。
【請求項５】
前記蓋筒及び接合台は、穿孔を成形し、そこに固定部品が差し込まれ、蓋筒が接合台に固定されていることを特徴とする請求項１記載の乗用玩具車の車輪回転構造。
【考案の詳細な説明】
【技術分野】
【０００１】
本考案は、乗用玩具車の車輪回転構造に関し、特に自在に固定角度に回転し、回転が大きすぎても倒れないものに関する。
【背景技術】
【０００２】
今日の乗用玩具車は、前輪単輪操作構造で、例として子供用玩具車及びキックボードは、ハンドルから伸びた前輪で左右の操作を行う。ハンドルから下向きに伸び、車体フレーム前端に枢設し、且つハンドルから伸びた桿体下端で直接前輪と枢設する。ハンドルを動かすと、前輪が左右に動き、その回転角度は完全に制限されない。
【考案の開示】
【考案が解決しようとする課題】
【０００３】
今日の回転角度は完全に制限されないため、車体が倒れやすい。
【０００４】
また、ある種の乗用玩具車は、双前輪もしくは双後輪が採用されているが、単輪での方向操作構造であるため、方向操作が大きすぎると、両輪のうちのひとつ(外側車輪)が宙に浮きやすく、重心を失って倒れてしまう。
【０００５】
解決しようとする問題点は、角度制限がされていないため、倒れやすく、安全でない点である。
したがって本考案の目的は、自在に固定角度に回転し、回転が大きすぎても倒れない乗用玩具車の車輪回転構造を提供することにある。
【課題を解決するための手段】
【０００６】
上述の目的を達成するために本考案の請求項に記載の乗用玩具車の車輪回転構造は、ハンドル中空桿及び車輪軸管を含む。ハンドル中空桿は下段に枢設筒を設置し、枢設筒の両端には回転筒を各々嵌合する。回転筒には制限部品を設置する。車輪軸管に接合台を設置し、枢設筒に対応させて枢設する。接合台両側には蓋筒を固定し、更に蓋筒は回転筒に設置した制限部品に対応する。蓋筒及び接合台に設置した穿孔を対応させ、固定部品を挿設し、蓋筒を接合台に固定し、蓋筒と回転筒の制限部品が相対して回転角度が制限される。制限部品は凸耳及び滑動槽とする。
【０００７】
本考案の乗用玩具車の車輪回転構造は、下述の利点がある。
自在に固定角度に回転可能である。また、回転が大きすぎても、倒れない。更に、構造が簡単で、コストが低い。
【考案を実施するための最良の形態】
【０００８】
以下、本考案の実施例を図面に基づいて説明する。
図１及び図２に示すように、本考案の実施例では、ハンドル中空桿１と車輪軸管２を含む。
ハンドル中空桿１は、下段に枢設筒１１を設置し、その枢設筒１１は両端にそれぞれ回転筒１１１を嵌合する。回転筒１１１には制限部品を設置する。図中の制限部品は凸耳１１２である。
【０００９】
車輪軸管２は、接合台２１を設置し、枢設筒１１と対応させ、接合台２１両側に蓋筒２２を固定する。更に蓋筒２２を凸耳１１２と対応させ、制限部品を設置する。図中の制限部品は、滑動槽２２１である。また蓋筒２２及び接合台２１の穿孔２２２、穿孔２１１を対応させ、固定部品２３を設置し、蓋筒２２を接合台２１に固定する。
【００１０】
これらによって、図３に示すように、ハンドル中空桿１の枢設筒１１を車輪軸管２の接合台２１内で回転するように枢設することによって、枢設筒１１の限定部品を蓋筒２２の限定部品に対応して回転し、回転角度を制限する。図中の実施例では凸耳１１２が滑動槽２２１内で嵌合滑動し、滑動槽２２１の制限を受け、車輪軸管２に枢設した車輪ユニットをハンドル中空桿１の回転角度に対して制限を加える。同じく枢設筒１１の制限部品を滑動槽にして、車輪軸管２の制限部品を凸耳にすることも可能である。本考案実施例の応用例として、キックボードの場合、図４に示すように、ハンドルに連接したハンドル中空桿１と車輪軸管２に枢設した車輪ユニットは、相対して自在に固定角度に回転し、回転が大きすぎた場合でも倒れない。
【００１１】
この他、本考案では後輪回転に応用しても、同じく安全に後輪を回転させる。
【図面の簡単な説明】
【００１２】
【図１】本考案の実施例による乗用玩具車の車輪回転構造の分解図である。
【図２】本考案の実施例による乗用玩具車の車輪回転構造の立体図である。
【図３】本考案の実施例による乗用玩具車の車輪回転構造の断面図である。
【図４】本考案の実施例をキックボードの応用した指示図である。
【符号の説明】
【００１３】
１  ハンドル中空桿、２  車輪軸管、１１  枢設筒、２１  接合台、２２  蓋筒、２３  固定部品、１１１  回転筒、１１２  凸耳、２１１  穿孔、２２１  滑動槽、２２２  穿孔
【図１】
0003115403.tif 000003
【図２】
0003115403.tif 000004
【図３】
0003115403.tif 000005
【図４】
0003115403.tif 000006
(57)【要約】【課題】洋式便器便座に座ったときに排便、排尿を促進し、便座から受ける圧迫による血行不良とその結果起こる腰とお尻の痛みや痺れを解消する。【解決手段】１本の通気管で接続された２つの空気袋を、便座上面のお尻が当たる位置に取り付け、該通気管には２個の逆止弁が直列に且つ各々流れの向きが逆向きとなるように配列され、該逆止弁は外側から潰すような力を掛けると弁が開いて空気が流通し、力を掛けないと逆止弁に復帰する可撓性を有する材質及び構造からなる。【選択図】図１
0003106356.tif 000002
【実用新案登録請求の範囲】
【請求項１】
一本の通気管で接続された２つの空気袋を、洋式便器便座のお尻の当たる位置に固定して成る洋式便器便座用空気クッション。
【請求項２】
該通気管には２個の逆止弁を流れの向きが互いに逆向きとなるように直列に組み込んだことを特徴とする請求項１記載の洋式便器便座用空気クッション。
【請求項３】
該逆止弁は外側から潰すような力を掛けると弁が開いて空気が流通し、力を掛けないと逆止弁に復帰する可撓性を有する材質及び構造からなる請求項２記載の洋式便器便座用空気クッション。
【考案の詳細な説明】
【考案の詳細な説明】
【技術分野】
【０００１】  この考案は、便座用空気クッションを備えた洋式便器に関し、詳しくは排便及び排尿を促進し、座り状態によるお尻の痛み、痺れも解消する技術に関するものである。
【背景技術】
【０００２】  従来の技術としては、図４に示す２つの空気袋をお尻の当たる位置に配置し、該空気袋は１本の通気管で接続し、該通気管は２個の逆止弁を直列に且つ各々流れの向きが逆向きとなるように配列し、該逆止弁は外側から潰すような力を掛けると弁が開いて空気が流通し、力を掛けないと逆止弁に復帰する可撓性を有する材質及び構造からなる空気ポンプ式座布団あるいは空気ポンプ式座布団を備えた椅子という実願２００４−  ２７５２がある。【０００３】  この２つの空気袋に満杯より少なく空気を注入して座り、片方の逆止弁を開放して２つの空気袋に交互に体重を掛けることにより片方の空気袋に空気を送って膨らませ、膨らんだ側に体重を乗せると収縮側のお尻は体重の圧迫から開放される。更にもう片方の逆止弁を開放して同様の動作を繰り返すことによってもう一方のお尻が体重の圧迫から開放される。このような腰とお尻の運動によって、お尻と腰の痺れや痛みを改善する。
【考案が解決しようとする課題】
【０００３】  これには便座に適用した場合の排便、排尿の促進効果と腰とお尻の痛みや痺れの改善効果についての説明がない。
【課題を解決するための手段】
【０００４】  １本の通気管で接続された２つの空気袋を、便座上面のお尻が当たる位置に取り付け、該通気管には２個の逆止弁が直列に且つ各々流れの向きが逆向きとなるように配列され、該逆止弁は外側から潰すような力を掛けると弁が開いて空気が流通し、力を掛けないと逆止弁に復帰する可撓性を有する材質及び構造からなる。
【考案を実施するための最良の形態】
【０００５】  以下、本考案の実施例について図１、図２及び図３で説明する。便座用空気クッションは塩化ビニル樹脂またはウレタン樹脂製の２枚のシート又は該シートに布張りしたシートで、便座の形状に合った空気袋を形成するように溶着シール部において溶着し、空気袋１には逆止弁３、空気袋２には逆止弁４を設け、この間を通気管５で接続する。逆止弁３は通気管５から空気袋１に流れる向きに開、逆止弁４は通気管５から空気袋２に流れる向きに開となるように互いに逆向きに配列する。更に空気袋１には給排気弁７、空気袋２には給排気弁８を設ける。６は空気袋の溶着シール部である。また便座１１に固定するため空気袋の内外周の溶着シール部にタグ９を設けゴムひも１０で便器１２に取り付けられた便座１１に固定する。【０００６】  該逆止弁、通気管及び給排気弁は塩化ビニル樹脂又はウレタン樹脂製であり、特に該逆止弁及び給排気弁は、例えば浮き輪の空気吹き込み口部材のように逆止弁を備え、逆止弁を容易に開放可能に構成した周知のものである。【０００７】  本考案は以上のような構造で、これを使用するときは図３に示すように、給排気弁７及び８から空気袋１及び２に満杯より少なく空気を吹き込む。【０００８】  便座上の空気袋に臀部を合わせて座り、通気管の両端に設けられた任意の逆止弁４を指で圧迫して開放し、左右のお尻に交互に体重を掛けて空気袋１及び２を押すことを繰り返すと、逆止弁３の作用によって空気袋２から空気袋１へ空気が移動し、空気袋２は萎んで空気袋１は膨らむ。このため空気袋１側に体重を乗せて座ることになり、空気袋２側のお尻は体重の圧迫から開放される。【０００９】  次に空気袋１から空気袋２へ空気を移動するには、逆止弁３を指で圧迫して開放し、同様の動作を行えば空気袋１は萎んで空気袋２は膨らむ。このため空気袋２側に体重を乗せて座ることになり空気袋１側のお尻は体重の圧迫から開放される。また両方の逆止弁を働かせた状態では空気袋１，２間の空気の流通は停止し、座った姿勢を安定化させることができる。
【考案の効果】
【００１０】  このように便座に座って２つの空気袋を左右のお尻で交互に押す動作は大腸特に直腸や膀胱に運動を与え排便、排尿を促進する。
【００１１】  また通常の便座では座るとお尻と大腿部が圧迫されるため血行が阻害され痛み、痺れが発生するが、本考案の空気クッションによれば２つの空気袋を左右のお尻で交互に押す動作によって圧迫部をマッサージし、膨らんだ方の空気袋に体重を乗せることにより、萎んだ空気袋の方のお尻と大腿部の圧迫部を解放するため血行が促進しお尻の痛み、痺れを解消でき、更にすわり心地の良いクッションとしても使用できる。また電気を使用しないので省エネ的にも好ましいものである。
【図面の簡単な説明】
【００１１】
【図１】本考案の便器への取り付け状態を示す。
【図２】本考案の溶着シール部に設けたタグの取り付け状態を示す。
【図３】本考案の便器への取り付け状態を示す断面図であって空気クッションの機能を説明する図面。
【図４】背景技術の実願２００４−  ２７５２の図面である。
【符号の説明】
１，２          空気袋
３，４          逆止弁
５              通気管
６              溶着シール部
７，８          給排気弁
９              タグ
１０            ゴムひも
１１            便座
１２            便器
【図１】
0003106356.tif 000003
【図２】
0003106356.tif 000004
【図３】
0003106356.tif 000005
【図４】
0003106356.tif 000006
(57)【要約】【課題】  健康履物を目的とするもので体の第２の心臓といわれる足指に力を付けて健康を守ることを目的とした履物を提供する。【解決手段】  前緒に指をはさんで履くと踵が低いので体が後ろになり、足指に力を入れるため足の筋肉が発達し、偏平足や外反母趾、ゆうれい指の矯正となり、また血行がよくなることにより体全体の健康が保たれる。また紐を付けることによって足踏みだけでも運動ができる。【選択図】  図１
0003106354.tif 000002
【実用新案登録請求の範囲】
【請求項１】
履物台（１）を爪先から踵方向にかけて下り傾斜の勾配αを形成し、爪先の先端Ａを欠除したことを特徴とした健康履物。
【請求項２】
鼻緒を有する履物において親指側の鼻緒（２−１）を小指側の鼻緒（２）より長く形成したことを特徴とした健康履物。
【請求項３】
請求項１又は２に記載の健康履物において、中央両側に手持ち用の紐（５）を取付けた健康履物器具。
【考案の詳細な説明】
【技術分野】
【０００１】
本考案の履物は、前方にかけて傾斜αを形成した履物及びこれを使用する健康器具に関する。
【背景技術】
【０００２】
足は健康の源ともいわれ、これに関しては種々の考案が開発されていて、中敷や底板に凹凸を設けてツボを刺激するもの、踵部分を切除したスリッパ等が市販されている。また下記の公知例のように底板に斜めの傾斜を形成した履物も公知である。
【特許文献１】特開平０７−３２７７０５号公報
【考案の開示】
【考案が解決しようとする課題】
【０００３】
人間本来の正しい歩き方としては、歩行に当って、始めに踵部分に体重がかかり、体重の移動は足裏の土ふまずの外側から指先方向に移動し、親指側に移って親指の指先からけり出すようにして抜けるもので、この理論に合った履物は見当らず、前記公知例等でもこのような理論には適していない。
【課題を解決するための手段】
【０００４】
考案者は、この点に鑑み鋭意研究を続けた結果、本考案を完成させたものであって、本考案は、履物台（１）の爪先から踵方向にかけて下り傾斜の勾配αを設け、指先側の先端を欠除して段差を設け指先が出るようにした履物を基本とし、この履物台（１）の鼻緒（２）として親指側の鼻緒（２−１）を小指側の鼻緒より少し長目に形成して履き良くする
こと、さらには履物台（１）の両側に紐（５）を取付けて、歩行しなくとも足踏み運動だけで、健康管理が行える健康履物器具を提供する。
【考案の効果】
【０００５】
本考案は、前述のような履物台の構造のため、この履物を使用することにより足指で大地をつかむという働きがおぼえられ土ふまずの形成になり、正しい歩き方が出来るようになり、現在多いといわれているゆうれい指の矯正ができると共に前脛骨筋がきたえられることにより外反母趾やハンマートウの予防になる。
【０００６】
またアキレス腱も適度に伸び腰の位置、頭の位置が正しくなるので腰痛が無くなり、さらに足裏マッサージ効果によって血行がよくなり、冷え症も解消し、足のむくみも取れるという数多くの効果が得られ、従来からの健康履物に比較して卓越した効果を奏する。
【考案を実施するための最良の形態】
【０００７】
添付図面の図は鼻緒のある履物として一般に知られている下駄を示しているが、鼻緒が付してある履物であれば草履でも同様の作用効果を奏するものである。
【実施例】
【０００８】
添付図面により本考案を説明すると、図１は鼻緒（２）を設けた履物の代表である下駄の側面図であり、（１）は下駄の台を示している。（２）は鼻緒で（３）は歯を示す。この下駄の歯（３）は図示されているように前歯（３）に対して後歯（３−１）は高さが低く形成されているため台（１）の表面には傾斜αがつけられ、この下駄を履く場合は踵（後歯）側に体重が掛る。
【０００９】
またこの下駄の特徴は爪先側の角に切欠きＡを形成するもので、この切欠きＡは足指を鼻緒に通した際に足指の先がこの切欠きＡにかかるように形成されている。したがって、この下駄を履く場合には足指でつかむようにして体の後退を支える姿勢となって足指に力が入る。
【００１０】
人間の歩行は一般に踵から接地し、力は足裏の土ふまずの外側から親指側に移って親指の先で大地を蹴って歩行するものといわれているが、この考案の下駄によっての歩行は前記の力の移動に逆らって歩行するため、足・足指にかかる力は大きくなって足の変形の矯正および体全体の健康にきわめて効果的に作用する。
【００１１】
図２は鼻緒（２）の位置関係を示す平面図で、この下駄は左足用であり、親指を通す側の鼻緒（２−１）が小指側の鼻緒（２）よりも長く形成されている。従って鼻緒の目が若干下駄台の親指側に片寄って形成されている。このように鼻緒の長さを変えることにより体重の移動に対しての支持を強くして履き心地を良くしている。
【００１２】
したがって、この下駄は左用、右用と決められるものであるが、特に限定することなく通常のように等辺の鼻緒でも差しつかえない。また、図示においては前歯（３）、後歯（３−１）で高さを調節しているが、草履のように歯のない履物の場合は、底板の厚さで調節することも可能であり、さらにαの高度も限定するものではない。
【００１３】
またこの健康履物は、図１に示すように台（１）の両側から紐（５）を取付けることによって、歩行用としてのみでなく、室内で足踏み用の健康器具として使用できる。
【産業上の利用可能性】
【００１４】
前述のように本考案の履物は、歩行時に常に足指に力が入るため、血行を良くして正しい歩き方が出来るので姿勢がよく腰痛をおさえられ健康上きわめてよく、また家の中でも紐（５）を使用することによって、単なる足踏みでも同様の効果が得られるため健康器具としても大いに利用できる。
【図面の簡単な説明】
【００１５】
【図１】全体を表わす側面図
【図２】鼻緒の位置を示す平面図
【符号の説明】
【００１６】
１  履物台
２  鼻緒
３  下駄の歯
５  紐
Ａ  切欠き部
【図１】
0003106354.tif 000003
【図２】
0003106354.tif 000004
【手続補正書】
【提出日】平成16年8月27日(2004.8.27)
【手続補正１】
【補正対象書類名】実用新案登録請求の範囲
【補正対象項目名】全文
【補正方法】変更
【補正の内容】
【実用新案登録請求の範囲】
【請求項１】
履物台（１）を爪先から踵方向にかけて下り傾斜の勾配αを形成し、爪先の先端Ａを欠
除すること、及び履物台（１）の親指側の鼻緒（２−１）を小指側の鼻緒（２）より長く
形成することを特徴とした健康履物。
【請求項２】
請求項１に記載の健康履物において中央両側に手持ち用の紐（５）を取付けた健康履物
器具。
(57)【要約】【要  約】【課  題】  従来のティーサーバーは正面の注出口から供給されるものしかなく，大勢の人に水，またはお茶を供給する場合時間がかかるものだった。【解決手段】  ティーサーバーの注出場所を正面だけでなく，左右の側面，または背面にも設けられるようにし，注出口の数も各場所に数個設けられるようにする。それにより従来のティーサーバーによる混み時間は大幅に減少させることができる。【選択図】図２
0003106355.tif 000002
【実用新案登録請求の範囲】
【請求項１】
ティーサーバーの供給する水，またはお茶等の注出場所が正面，側面または背面に設け，水またはお茶等を供給することを特徴とするもの。
【考案の詳細な説明】
【技術分野】
【０００１】
本発明は、ティーサーバーの注出場所に関する。
【背景技術】
【０００２】
従来のティーサーバーには、供給場所である正面の注出口からお茶や水等を供給するものがある(非特許文献1参照。)。
【０００３】
以下、図３により従来のティーサーバーについて説明する。図において、コップ受け台にコップを置く。注出ボタンを押すことによって、水やお茶が出てくる。
【非特許文献１】「オフィスサービス機」ホシザキ電気,2003/1,p.18
【考案の開示】
【考案が解決しようとする課題】
【０００４】
以上に述べた従来のティーサーバーでは、正面の注出口からしかお茶や水等を供給するしかなく、人数が多い場所では一人づつしか供給できない為、時間がかかるものだった。
【０００５】
本発明は、このような従来の構成が有していた問題を解決しようとするものである。
【課題を解決するための手段】
【０００６】
そして、本発明は上記目的を達成するために、ティーサーバーの注出場所を正面だけでなく左右の側面、または背面に取り付け、注出口も数個取り付けられるものである。
【考案の効果】
【０００７】
これにより多人数用ティーサーバーは二方向、三方向、または四方向よりお茶や水等を供給することができ、注出口も一個から数個設けることによって大勢の人の待ち時間が短縮される。
【考案を実施するための最良の形態】
【０００８】
以下、本発明の実施の形態を図１、図２に基づいて説明する。
【０００９】
図１においてティーサーバーの注出場所を説明する。本体の正面と左右の側面、背面に注出場所を設け注出口を取り付ける。
【００１０】
図２において、ティーサーバーの各注出口までの水の流れを説明する。給水されてきた水はタンク１を通りタンク２に入る。そこから循環ポンプによって各注出口まで水、またはお茶などを運ぶ。その際、注出口から水やお茶等が供給されない場合、タンク２に戻るようにする。
【図面の簡単な説明】
【００１１】
【図１】本考案のティーサーバーの平面図。
【図２】本考案のティーサーバーの水やお茶等の流れを示す断面図。
【図３】従来のティーサーバーの平面図。
【符号の説明】
【００１２】
１  本体
２  注出口
３  給水
４  タンク１
５  循環ポンプ
６  排水
７  タンク２
８  グラス入
【図１】
0003106355.tif 000003
【図２】
0003106355.tif 000004
【図３】
0003106355.tif 000005
【手続補正書】
【提出日】平成16年8月30日(2004.8.30)
【手続補正１】
【補正対象書類名】実用新案登録請求の範囲
【補正対象項目名】全文
【補正方法】変更
【補正の内容】
【実用新案登録請求の範囲】
【請求項１】
ティーサーバーの供給する水、またはお茶等の注出場所が正面、側面または背面に設け
水またはお茶等を供給することができる多人数用ティーサーバー。
(57)【要約】      （修正有）【課題】従来の駐車場以外での車の駐車に関係する安全対策は、現状では皆無に等しい程運転手は無関心である。車本来の持つブレーキシステムに頼らざるを得ない状況である。又、外部よりの車止めを付けても効果が少ない状況である。小型車輌から大型車輌、特に危険物運搬車輌等は、特に注意する必要があるものと思う。車輌を停止させ、エンジンのみを稼動させて作業を行う車輌など特に必要不可欠である。【解決手段】持ち運びを可能とした車止め装置にローラー２を組み込むことにより車の駆動側タイヤがローラ２に乗り上げようとすると、ローラー２が回転し、車体が移動しない構造とした。【選択図】図２
0003106352.tif 000002
【実用新案登録請求の範囲】
【請求項１】
携帯可能（持ち運び可能）とした車止め器具に、ローラーの回転部分を取り込んだ構造及び、その車止め装置のベースとなるプレートを一体化した構造。
【考案の詳細な説明】
【考案の詳細な説明】
本装置は、持ち運びを可能とした車止め器具に、ローラーを組込む事により車の駆動側タイヤが、ローラーの部分に乗り上げ様とすると、ローラーが回転し、車体移動しない構造となっている。これは、車の駆動装置の構造上、両輪のどちらか一方でもローラーに回転を与える事により、他方の車輪は固定のままでも車は移動しない。これは車の駆動軸に使用されている差動装置の歯車構造の特徴を利用したものである。又、従動側タイヤが車止装置を乗り越え様としても、車止装置のベースとなるプレートの部分を、タイヤが踏んだ状態となる為、従動側タイヤが乗り上げる状況となりそうな状態でも、ベースプレートとローラーの間での抵抗が大きくなる。よって、車の駐車操作した際のミスによる車の自己移動（坂道等によるサイドブレーキ操作及び、チェンジ操作ミスによる車の自然移動）又、発進時のミスによる飛び出し事故は本装置を使用する事により激減するものとい思われる。
【図面の簡単な説明】
【図１】本実施形態の車止め装置の正面図である。
【図２】本実施形態の車止め装置の側面図である。
【符号の説明】
▲１▼ベース板
▲２▼ローラー
▲３▼軸受
▲４▼カバー
▲５▼取手
【図１】
0003106352.tif 000003
【図２】
0003106352.tif 000004
(57)【要約】【課題】    従来、土嚢袋は口を閉める紐が普通のビニール紐で柔らかく、両手で口を開けて、両手で持っていなければ口が閉じてしまう、手を離しても口が閉じないようにする。【解決手段】      課題を解決する為に、袋の口を閉める紐を針金の入ったビニタイにする事で、袋の口を開けたとき、両手を袋から離しても、針金の入ったビニタイ紐の効果で袋のくちは空いたままなので、袋に入れる作業が楽で捗る。【選択図】      図１0003106351.tif 000003
0003106351.tif 000002
【実用新案登録請求の範囲】
【請求項１】
土嚢袋のロに、土や砂などを入れ易くする為に袋の口に、針金をビニールで包んだビニタイの紐をとうした土嚢袋。
【考案の詳細な説明】
【考案の詳細な説明】
【考案が解決しようとする課題】
【０００１】  従来、土嚢袋は口を閉める紐が普通のビニール紐で柔らかく、両手で口を開けて、両手で持っていなければ口が閉じてしまう、手を離しても口が閉じないようにする。
【課題を解決するための手段】
【０００２】  課題を解決するために、袋の口を閉める紐を針金をビニールで包んだビニタイにする。
【考案の効果】
【０００３】  袋の口を閉める紐をビニタイにする事で、袋の口を開けたときに、針金の入ったビニタイの効果で手を離しても口が閉まらず、物を入れるのが容易で、楽で、簡単で、捗るようにになった。
【図面の簡単な説明】
【図１】  土嚢袋の平面図である。
【図２】  Ａ〜Ｂの断面図である。
【符号の説明】
イ      針金をビニールで包んだビニタイの紐。
ロ      土嚢袋。
【図１】
0003106351.tif 000004
【図２】
0003106351.tif 000005
(57)【要約】【課題】  サウナ式の蒸気風呂の室内をマイナスイオンと遠赤外線の雰囲気とし、清潔で薬用・保温効果があり、しかも温泉水の蒸気によって鉱物ミネラルの吸収をよくして、その効果が一層期待できる蒸気浴を提供する。【解決手段】  床下層に加熱用の温水パイプを循環式に埋設し、その上に多種類の薬石とよばれる石、例えばゲルマニウム、トルマリン、麦飯石等の細砕石を層状に設け、これに別に設けたタンクから温泉水を浸透させて温泉蒸気による鉱物ミネラルと薬石による諸効果を相乗して発揮させる蒸気浴とする。【選択図】    図１
0003106337.tif 000002
【実用新案登録請求の範囲】
【請求項１】
建物Ａの最下部をコンクリート層（５）として床を形成し、該コンクリート層内に平面的に上下３段に配した温水管（１）を埋設し、ボイラーＸにより温水を循環して送入して加熱床とすること、
該加熱床の上部に薬石層（６）を２５ｃｍ厚さに敷詰め、該薬石層（６）内に温泉水送入管（２）を配し、薬石層内部に温泉水を浸透させ、室内Ａを温泉水の蒸気で充満させることを特徴とした鉱物ミネラル風呂装置。
【請求項２】
請求項１において、温泉水は別に設けた温泉水タンクＹより送入管（２）を配して薬石層（６）内部に浸透させることを特徴とした鉱物ミネラル風呂装置。
【請求項３】
請求項１において使用する薬石（６）とは、ゲルマニウム石、トルマリン石、麦飯石、昌質石灰岩、陽起石等であり、これらを細粒とし混合して使用する鉱物ミネラル風呂装置。
【考案の詳細な説明】
【技術分野】
【０００１】  本考案は、加熱する温水管を３段階に設けることによって加熱時間を早めて燃料費の軽減を図り、しかも温泉水の蒸気を送り込むことによって鉱物ミネラル分を室内に充満させると共に、床に薬石層を設けることにより、マイナスイオンおよび遠赤外線による発熱効果を発揮させる鉱物ミネラル風呂装置に関する。
【背景技術】
【０００２】  石風呂装置としては下記刊行物に記載されている石風呂装置が公知である。
【特許文献１】  特開２００１−９５８８９号公報
【考案の開示】
【考案が解決しようとする課題】
【０００３】  上記公知文献には最下層にコンクリート層を設け、その上にモルタル層を配し、上層に砂利と炭の細粒を敷設し、モルタル層に温水管を配して温水を循環式に送入する石風呂装置が記載されている。【０００４】  しかし、この石風呂装置は、一般のサウナ風呂と同じであって、異なる点としては床面を砂利と炭片とする点であり、また温水管を一層に設けるものであって、サウナ風呂のように室内を９０℃程度に加温するためには１時間以上も要しているため燃焼費が嵩む欠点があった。
【課題を解決するための手段】
【０００５】  考案者はこの点について種々研究開発を重ねた結果、本考案に到達したものであって、室内を加熱するために配管する温水管を三重に設けることによって加熱時間を早めてボイラーの燃焼費の軽減を図り、さらにこの上層に一般に薬石とよばれている石、例えばゲルマニウム石、トルマリン石、麦飯石、昌質石灰岩、陽起石などの細粒を敷詰め、この層の内部に温泉水の蒸気管を配することによって、温泉水の含む鉱物ミネラルを大量に室内に充満させることが出来る。
【考案の効果】
【０００６】  上述のように本考案の鉱物ミネラル風呂は、室内を加熱するための温水管を上下３段階に設けることによって、ボイラーの熱源油代の大幅な節減ができるばかりか、温泉水の水蒸気を室内に充満させることができる。これは、温泉水を薬石層にしみ込ませ、蒸発したものであるため、ただの温泉蒸気ではなく、細粒化した温泉蒸気になるため皮膚から身体に入り込み易くし、しかも床面に薬石の細粒を敷詰めることによって、先ず室内の加熱時間を５分の１程度に短縮できるため燃費の節約が図られる。【０００７】  そして温泉水の蒸気を充満させることによって、細粒化した温泉水に含まれる鉱物ミネラルが体内に浸透し、また薬石の細粒を床に敷詰めることで、マイナスイオンや遠赤外線の放出によって、この室内で入浴する場合は、温泉浴やサウナに比較して体に効果的に作用する。
【考案を実施するための最良の形態】
【０００８】  この鉱物ミネラル風呂の入浴に当っては、図に示す床面にタオルやゴザ等を敷いて横になるか、座るかして自由にリラックスして温泉と薬効を楽しめる。
【実施例】
【０００９】  図示により本考案の実施例を説明すると、図は本考案の実施例を示す鉱物ミネラル風呂装置の内部の概略図であって、Ａは全体の建物を示している。そしてこの建物の最下層にはコンクリート層（５）を設け、このコンクリート層（５）の内部に温水管（１）を上中下三段階に埋設する。【００１０】  この三層の温水管（１）は建物Ａ外部にボイラーＸを設けて温水を送り込み室内を加熱循環することによって、室温は僅か１５分位で適温に達する。【００１１】  コンクリート層（５）の上部には一般に薬石とよばれているゲルマニウム、トルマリン、麦飯石、昌質石灰岩、陽起石等の細粒を敷詰める。そしてこの薬石の層（６）の内部には温泉水を送り込む送入管（２）が埋設され屋外に別に設けた温泉水貯槽Ｙによって送水されている。【００１２】  従って入浴者は、この薬石層（６）の上にタオルやゴザ等を敷き、専用の浴衣に着替えて横になったり座ったりして自由にリラックスして入浴を楽しむことができる。室内の温度は約４７℃に保たれていて十分に汗をかき、入浴者は毛孔から薬石より発せられるミネラル成分と温泉蒸気が吸収されて十分の薬効が得られる。
【産業上の利用可能性】
【００１３】  本考案の鉱物ミネラル風呂は、薬石と温泉蒸気を利用したサウナ様のミネラル風呂であるため温泉地であれば気軽に構築できて利用でき、使用する温泉水の使用量は一日約１８Ｌ位であるため、温泉水を配送することも可能であって温泉のない土地でも使用できる利点がある。
【図面の簡単な説明】
【００１４】
【図１】  全体の構造を示す実施例図である。
【符号の説明】
【００１５】        １  温水管
２  温泉水送気管
５  コンクリート層
６  薬石層
Ａ  建物
Ｘ  温水ボイラー
Ｙ  温泉水貯槽
【図１】
0003106337.tif 000003
(57)【要約】      （修正有）【課題】片手で容易に開けることができる折りたたみ式携帯電話の提供。【解決手段】携帯電話器本体に凹部または凸部を設けて、「ふた」２の個所に親指を、「底」５の個所に薬指または小指を引っかけて、または「ふた」３の個所に親指を、「底」４の個所に薬指または小指をひっかけて「ふた」の部分と「底」の部分を開き易くする。【選択図】    図４
0003106332.tif 000002
【実用新案登録請求の範囲】
【請求項１】
折たたみ式携帯電話器を片手でも容易に開けるようにするため、本体「ふた」の部分（本体上部）の４個所、と「底」の部分（本体下部）の４個所のそれぞれに凹部又は凸部を設けることによって、指が引っかかり易くなるようにするものである。
【請求項２】
凹部と凸部は、「ふた」の部分の４個所及び「底」の部分の４個所に必ず設けなければならないというものではなく、また凹部のみ、凸部のみを設けるというものでもなく、それぞれ操作性・デザイン面を考慮して必要に応じて凹部と凸部を自由に組み合わせて設けるものである。
【考案の詳細な説明】
【技術分野】
【０００１】本考案は、折たたみ式携帯電話器の「ふた」の部分（本体上部）と「底」の部分（本体下部）の四個所に指が引っかかりやすくするための凹部または、凸部を設ける（または、凹部と凸部を相互に組み合わせる）ことによって片手でも折りたたみ式携帯電話器を開き易くしたものである。
【背景技術】
【０００２】現在のところ、折りたたみ式携帯電話器で「ふた」部分と「底」部分の四個所に指を引っかかり易くするための凹部または、凸部のついているものが見当たらない。
【考案の開示】
【考案が解決しようとする課題】
【０００３】現在の折たたみ式携帯電話器は、通常両手で「ふた」の部分と「底」の部分を開いて使用可能な状態にするものである。このため片手に荷物を持っているとき等、片手しか使えない場合に着信があったりすると、片手で開けようとすると少なからず不都合な面がある。
【課題を解決するための手段】
【０００４】図面、図４の２から５の個所に凹部または凸部（または凹部と凸部を相互に組み合わせる）を設けて指を引っかかり易くして片手でも「ふた」の部分を開き易くした。
【考案の効果】
【０００５】片手に荷物を持っているときなど片手しか使えないときに、着信があった場合でも片手で容易に使用可能な状態（携帯電話器を開くこと）にすることができる。
【図面の簡単な説明】
【０００６】
【図１】携帯電話器本体（折たたんだ状態）平面図
【図２】携帯電話器本体（折たたんだ状態）側面図（Ａ）
【図３】携帯電話器本体（折たたんだ状態）側面図（Ｂ）
【図４】携帯電話器本体（開いた状態）平面図
【符号の説明】
【０００７】１  携帯電話器本体（折たたんだ状態）平面図
２  指を引っかかり易くするための凹部または、凸部
３  指を引っかかり易くするための凹部または、凸部
４  指を引っかかり易くするための凹部または、凸部
５  指を引っかかり易くするための凹部または、凸部
６  携帯電話器本体（開いた状態）平面図
【図１】
0003106332.tif 000003
【図２】
0003106332.tif 000004
【図３】
0003106332.tif 000005
【図４】
0003106332.tif 000006
【手続補正書】
【提出日】平成16年3月1日(2004.3.1)
【手続補正１】
【補正対象書類名】図面
【補正対象項目名】全図
【補正方法】変更
【補正の内容】
【図１】
0003106332.tif 000007
【図２】
0003106332.tif 000008
【図３】
0003106332.tif 000009
【図４】
0003106332.tif 000010
【手続補正書】
【提出日】平成16年3月2日(2004.3.2)
【手続補正１】
【補正対象書類名】図面
【補正対象項目名】図２
【補正方法】変更
【補正の内容】
【図２】
0003106332.tif 000011
【手続補正２】
【補正対象書類名】図面
【補正対象項目名】図３
【補正方法】変更
【補正の内容】
【図３】
0003106332.tif 000012
【手続補正書】
【提出日】平成16年6月2日(2004.6.2)
【手続補正１】
【補正対象書類名】実用新案登録請求の範囲
【補正対象項目名】全文
【補正方法】変更
【補正の内容】
【実用新案登録請求の範囲】
【請求項１】
折りたたみ式携帯電話器を片手で素早く開くことができるようにするため、折りたたみ式携帯電話器のふたの部分４箇所と底の部分４箇所に、指が引っかかるように設ける凹部または凸部。
(57)【要約】  【課題】  チューブの内容物を簡単に押し出すことができる器具の提供【解決手段】チューブ状容器に充填された内容物を押し出す器具であって、樹脂や金属の丸パイプ形状からなり、パイプ面上下部に切り込みを設ける。  また、パイプ面上部の切り込みはパイプの端から端までとして、チューブを挟む機能をもたせ、パイプ面下部の切り込みはチューブを通すための厚さだけの切り込みとする。さらに、チューブを挟む力はパイプの肉厚とパイプの直径により変更可能とする。    【選択図】図１
0003106334.tif 000002
【実用新案登録請求の範囲】
【請求項１】
本体の形状は丸パイプであり材質は樹脂系から金属系まですべて。
【請求項１】
チューブをはさむ切込み部はパイプの端から端までとし反対の空チューブ側は空チューブの中及び厚さだけの切り込みを入れる。
【請求項１】
ハサム力はパイプの肉圧とパイプの直径を変えることで解決する。
【考案の詳細な説明】
【技術分野】
【０００１】この考案は、例えば歯磨きチューブを挟む器具として、丸パイプを上部にチューブをはさむ機能、下部は空チューブを排出する機能をする為の切り込みを入れる。
［技術分野］【０００２】チューブの中身が最後まで使い切る為に簡単操作が出来る器具として今回の考案に至った。
［発明が解決しようとする課題］【０００３】先ず子どもから老人までだれかが簡単に使用出来ること
それにはどのようにチューブをハサミ、中身に従い移動させるかという点に気をつけたこと。
［課題と解決するための手段］【０００４】チューブをハサム力をどのようにして得るか丸パイプを使用することで解決した。
［発明の効果］【０００５】チューブの中身を無駄なく最後まで使い切ることが簡単に出来る。
［考案を実施するための最良の状態］【０００６】以下、本発明の実施例について説明する。
例えば練歯磨きのチューブに簡単装備し中身の状況により上下させることが容易にできる。
【図面の簡単な説明】
【０００７】本発明の斜視図及び平面、側面図
【図１】
0003106334.tif 000003
【手続補正書】
【提出日】平成16年7月5日(2004.7.5)
【手続補正１】
【補正対象書類名】実用新案登録請求の範囲
【補正対象項目名】全文
【補正方法】変更
【補正の内容】
【実用新案登録請求の範囲】
【請求項１】
チューブ状容器に充填された内容物を押し出す器具であって、樹脂や金属の丸パイプ形状からなり、パイプ面上下部に切り込みを設けたことを特徴とする内容物押し出し器。
【請求項２】
該パイプ面上部の切り込みはパイプの端から端までとして、チューブを挟む機能をもたせ、パイプ面下部の切り込みは空チューブを通すための厚さだけの切り込みであることを特徴とする請求項１記載の内容物押し出し器。
【請求項３】
チューブを挟む力はパイプの肉厚とパイプの直径により変更可能とした請求項１又は２記載の内容物押し出し器。                    
【手続補正２】
【補正対象書類名】明細書
【補正対象項目名】全文
【補正方法】変更
【補正の内容】
【考案の詳細な説明】
【技術分野】
【０００１】
この考案は、例えば歯磨きチューブを挟む器具として、丸パイプを使用し、その上部にチューブをはさむ機能を持たせ、下部は切り込みによって空チューブを排出する機能をさせる技術に関する。
【背景技術】
【０００２】
チューブの中身を最後まで使い切るための操作が簡単に出来るものはなかった。
【考案の開示】
【考案が解決しようとする課題】
【０００３】
チューブの中身を最後まで使い切るための操作が子どもから老人まで簡単にできることが課題であった。
そのために、どのようにチューブを挟み、チューブ内の中身の移動に従い本発明の内容物押し出し器を移動させるかという点に工夫を行った。
【課題を解決するための手段】
【０００４】
本考案の内容物押し出し器は、チューブ状容器に充填された内容物を押し出す器具であって、樹脂や金属の丸パイプ形状からなり、パイプ面上下部に切り込みを設けたことを要旨とする。
【０００５】
さらに、該パイプ面上部の切り込みはパイプの端から端までとして、空チューブを挟む機能をもたせ、パイプ面下部の切り込みはチューブを通すための厚さだけの切り込みであることを要旨とする。
【０００６】
また、チューブを挟む力はパイプの肉厚とパイプの直径により変更可能としたことを要旨とする。
【考案の効果】
【０００７】
本考案は、丸パイプの上下に切り込みを入れた簡単な構造で、チューブの中身を最後まで使い切ることが簡単に出来る。
【考案を実施するための最良の形態】
【０００８】
以下、本考案の実施例について説明する。
例えば、練り歯磨きのチューブに簡単装備し、中身の状況により本考案の内容物押し出し器を上下させることが容易にできる。
【産業上の利用可能性】
【０００９】
本考案使用すれば、子供から老人まで、チューブに本考案をセットするだけで簡単に内容物を押し出すことが可能となるため、産業上の利用可能性を有する。
【図面の簡単な説明】
【００１０】
【図１】本考案をチューブにセットした使用状態を説明した説明斜視図及び本考案の斜視図・平面図・底面図である。
(57)【要約】【課題】本考案は自然素材（木材質及び竹材質の大鋸屑細分状）を貼布型シートにし人体に直接貼布し人体の持つ生体電流と貼布素材の電気的反応により身体疾患部位の正常化を図り回復又は緩和する。【解決手段】本考案は従来の治療のための身体に貼布する素材貼布物そのものか又は電気通電等によって身体患部に相当なる刺激を与え、それ等によって治療する方法であったが本考案は人体に流れる生体電流を応用し、その対貼布材として自然素材を用いる（木材及び竹材質の大鋸屑細分状）。従来の方法とはまったく異なる人体の持つ自然治癒力の応用の方法をとる。【選択図】図２
0003106333.tif 000002
【実用新案登録請求の範囲】
【請求項１】
布製粘着布の上に木材質及び竹材質の大鋸屑（細分状）を均等に散布着させその上に圧をかけ圧粘着シートとする〔図１〕。更に〔図１〕より大きめの片面布製粘着布の上に〔図１〕の裏地部分を張りつけ粘着固定させる。〔図２〕を人体患部中心部位に貼着する身体貼着型シートとする。
【考案の詳細な説明】
【技術分野】
【０００１】  本考案は、自然素材（木材質及び竹材質の大鋸屑細分状）使用の人体皮膚直接貼布型治療シートに関する。
【背景技術】
【０００２】  従来人体に直接貼布するものの目的は、患部の痛み疲れ等を取り去り又は緩和するものであり、それ等の素材は薬材、清涼刺激材、マグネット、各種温熱効果材及び低周波、高周波等の電気其の他を貼着又は通電するものであり、貼着素材そのものから出る効果を得る方法を取り入れた方法がほとんどである。
【考案の開示】
【考案が解決しようとする課題】
【０００３】  従来の各種治療又は緩和する方法は素材又は素材付属そのものの強い力効果を身体患部に与える方法が主である。本考案はそれ等の方法とは異なり人体のもつ本来の自然治癒力を活かした方法で解決することを目的とする。
【課題を解決するための手段】
【０００４】  本願請求項１に係り身体患部にシートを貼布することによりその効果を発揮する。その効果を発揮させるには電気の持つ電子の移動に依る。電気の通す導体、通さない不導体（絶縁体）があり、導体としては、金、銀、銅、鉄、アルミニウム、亜鉛、ニッケル、ニクロム線等々、不導体（絶縁体）としては、石英ガラス、雲母、ゴム、ベークライト、塩化ビニール、木材、パラフィン等々がある。本考案は人体に直接貼布（人体は導体である）する大鋸屑細分状（木材、竹材質は不導体である）と人体の持つ生体電流との反応により効果を出すものである。電気の通さない物質が誘導体（電気は通さないが、外から近づけた電荷に対しては電気的な反応をする物質）による電気的作用を起す。２つの電荷Ａ．Ｂのクーロン力を公式で表すと0003106333.tif 000003
となりマイナス電子がプラス電子に引きよせられ電気的反応を起こす。この電気的反応により患部の溢血状態にある血流を促し患部位を正常にもどし治療を行う。
【考案の効果】
【０００５】  電気的反応が速く血流促進が速やかに行われる。自然素材（木材質及び竹材質）利用のため人体に対し副作用等もなく自然治癒の増進が計れる。
【考案を実施するための最良の形態】
【０００６】  〔図２〕のものを身体各疾患部の中心部位に外気が入らぬように確実に貼布する。
【実施例】
【０００７】  〔図２〕のものを身体患部位に貼布した後１〜２日程貼着継続急性又は慢性疾患かにより、短気又は長期的使用方法がある。長期的な場合一度はがした後中一日程度間隔をおいた後再度同じ作業をくりかえす。
【図面の簡単な説明】
【０００８】
【図１】本考案の基本になる粘着布に素材（木材質及び竹材質の大鋸屑細分状）を散粘布したものである。
【図２】[図１]より大きめの粘着布に[図１]の背面を粘着したものである。
【符号の説明】
【０００９】  〔図１〕▲イ▼布製粘着布。▲ロ▼同上に素材（木材質及び竹材質の大鋸屑細分状）を圧粘着した状態。  〔図２〕▲イ▼〔図１〕▲ロ▼〔図１〕を背面粘着させるための〔図１〕より大きめの粘着布。
【図１】
0003106333.tif 000004
【図２】
0003106333.tif 000005
【手続補正書】
【提出日】平成16年5月20日(2004.5.20)
【手続補正１】
【補正対象書類名】実用新案登録請求の範囲
【補正対象項目名】全文
【補正方法】変更
【補正の内容】
【実用新案登録請求の範囲】
【請求項１】
布製粘着布（用途により各サイズ）の上に木材質及び竹材質の大鋸屑（細分状）を均等に散布着させその上に圧をかけ圧粘着シートを作成し更に作成した圧粘着シートより大きめの片面布製粘着布の上に作成した圧粘着シートの裏地部分を張りつけ粘着固定させて一体の成品に完成させ、その成品を人体患部中心部位に貼着する「治療用身体貼着型シート」
【手続補正書】
【提出日】平成16年8月9日(2004.8.9)
【手続補正１】
【補正対象書類名】実用新案登録請求の範囲
【補正対象項目名】全文
【補正方法】変更
【補正の内容】
【実用新案登録請求の範囲】
【請求項１】
・  布製粘着布の上に木材質及び竹材質の大鋸屑細分状を均等に散布着させその上に圧  ・  をかけ圧粘着シートを作成し更に作成した圧粘着シートより大きめの片面布製粘着  ・  布の上に作成した圧粘着シートの裏地部分を張りつけ粘着固定させて一体の成品に  ・  完成させる  完成した成品を人体患部中心部位に貼着する治療用身体貼着型シート